(57)【要約】  開閉状態に正しく応じた処理を実行することができる電子機器を提供する。この電子機器は、第１の装置部分と、第１の装置部分に対して開閉可能な第２の装置部分と、第１の装置部分に対する第２の装置部分の開閉を検知する磁気センサと、第１の装置部分に対する第２の装置部分の開閉を検知する光センサと、磁気センサによる検知結果と光センサによる検知結果との双方に基づいて、第１の装置部分に対する第２の装置部分の開閉状態に応じた処理を実行する処理実行回路と、を備える。
2012042663.tif 000002
【特許請求の範囲】
【請求項１】
第１の装置部分と、
前記第１の装置部分に対して開閉可能な第２の装置部分と、
前記第１の装置部分に対する前記第２の装置部分の開閉を検知する磁気センサと、
前記第１の装置部分に対する前記第２の装置部分の開閉を検知する光センサと、
前記磁気センサによる検知結果と前記光センサによる検知結果との双方に基づいて、前記第１の装置部分に対する前記第２の装置部分の開閉状態に応じた処理を実行する処理実行回路と、
を備えたことを特徴とする電子機器。
【請求項２】
前記処理実行回路は、
当該電子機器に電力を供給する電源回路であって、前記磁気センサが前記第２の装置部分の開状態を検知するとオン状態となる電源回路と、
前記電源回路がオン状態になると所定時間待機し、その待機後でも前記光センサが前記第２の装置部分の開状態を検知しない場合に前記電源回路をオフ状態に戻す誤動作防止回路とを備えたものであることを特徴とする請求項１記載の電子機器。
【請求項３】
前記第２の装置部分の開閉に伴い前記光センサを、開状態では第１の位置に移動させ、閉状態では、該第１の位置に該光センサが存在する場合よりも該光センサへ光が入射しにくい第２の位置に移動させる移動機構を備えたことを特徴とする請求項１または２記載の電子機器。
【請求項４】
前記第２の装置部分に搭載された自発光型の表示装置を備え、
前記光センサは、前記表示装置が発した光を検知するものであることを特徴とする請求項１から３のうちいずれか１項記載の電子機器。
【発明の詳細な説明】
【技術分野】
【０００１】
本件開示は、電子機器に関する。
【背景技術】
【０００２】
従来より、携帯電話やノート型のパーソナルコンピュータなどに代表される、携帯型の電子機器が広く普及している。【０００３】
このような電子機器のなかには、携帯性の向上のために、相互に開閉可能な複数の装置部分で構成されたものも多い。そして、電子機器の開閉状態を検知するために磁気センサなどを搭載し、その磁気センサなどが開状態を検知した場合に電源がオン状態となるものも知られている。
【先行技術文献】
【特許文献】
【０００４】
【特許文献１】特開２００６−２１１０１９号公報
【特許文献２】特開２００４−２３３１１９号公報
【発明の概要】
【発明が解決しようとする課題】
【０００５】
しかし、電子機器を鞄などで持ち運ぶ場合などには、電子機器の周囲には磁気を発生するものが存在していることもある。そして、そのような磁気を磁気センサなどが開状態と誤認した結果、ユーザが意図しない場面で電子機器の電源がオン状態になってしまう恐れがある。【０００６】
上記事情は、携帯型の電子機器や開状態の検知時にオン状態となる電子機器に限らず、開閉検知のためのセンサを搭載し開状態の検知時に何らかの処理を実行する電子機器に一般的に生じる事情である。【０００７】
上記事情に鑑み、本件開示は、開閉状態に正しく応じた処理を実行することができる電子機器を提供することを目的とする。
【課題を解決するための手段】
【０００８】
上記目的を達成する電子機器は、第１の装置部分と、その第１の装置部分に対して開閉可能な第２の装置部分とを備えている。また、この電子機器は、磁気センサと、光センサと、処理実行回路も備えている。【０００９】
上記磁気センサは、上記第１の装置部分に対する上記第２の装置部分の開閉を検知するものである。また、上記光センサも、上記第１の装置部分に対する上記第２の装置部分の開閉を検知するものである。【００１０】
上記処理実行回路は、上記磁気センサによる検知結果と上記光センサによる検知結果との双方に基づいて、上記第１の装置部分に対する上記第２の装置部分の開閉状態に応じた処理を実行するものである。
【発明の効果】
【００１１】
本件開示の電子機器によれば、開閉状態に正しく応じた処理を実行することができる。
【図面の簡単な説明】
【００１２】
【図１】電子機器の具体的な第１実施形態に相当するノート型のパーソナルコンピュータを示す図である。
【図２】光センサの周辺についてより詳しく示した図である。
【図３】光センサの移動機構をノートＰＣが開いたときの状態で示す図である。
【図４】光センサの移動機構をノートＰＣが閉じたときの状態で示す図である。
【図５】電源制御回路を示す図である。
【図６】ノートＰＣの蓋部分が開かれたときのフローチャートである。
【図７】ノートＰＣの蓋部分が開かれたときの各種信号のタイミングチャートである。
【図８】磁気センサの第１の誤動作に対する比較例の動作を示すタイミングチャートである。
【図９】磁気センサの第２の誤動作に対する比較例の動作を示すタイミングチャートである。
【図１０】磁気センサの第１の誤動作に対する第１実施形態の動作を示すタイミングチャートである。
【図１１】磁気センサの第２の誤動作に対する第１実施形態の動作を示すタイミングチャートである。
【図１２】ノートＰＣの蓋部分が閉じられたときのフローチャートである。
【図１３】ノートＰＣの蓋部分が閉じられたときの各種信号のタイミングチャートである。
【図１４】第２実施形態を示す図である。
【図１５】第２実施形態における光センサの移動機構をノートＰＣが開いたときの状態で示す図である。
【図１６】第２実施形態における光センサの移動機構をノートＰＣが閉じたときの状態示す図である。
【図１７】第３実施形態を示す図である。
【発明を実施するための形態】
【００１３】
上記電子機器に対する具体的な実施形態を、以下図面を参照して説明する。
【００１４】
図１は、電子機器の具体的な第１実施形態に相当するノート型のパーソナルコンピュータ（以下ノートＰＣと称する）を示す図である。
【００１５】
このノートＰＣ１００は、本体部分１０１と蓋部分１０２がヒンジで連結された構造となっている。従って蓋部分１０２は本体部分１０１に対して開閉自在である。図１のパート（Ａ）には、蓋部分１０２が本体部分１０１に対して開状態になっている様子が示されている。また、図１のパート（Ｂ）には、蓋部分１０２が本体部分１０１に対して閉状態になっている様子が示されている。この本体部分１０１が上記電子機器の第１の装置部分の一例に相当する。また、蓋部分１０２が上記電子機器の第２の装置部分の一例に相当する。
【００１６】
このノートＰＣ１００には、本体部分１０１に対する蓋部分１０２の開閉状態を検知するために磁気センサ１０３と光センサ１０４が搭載されている。この磁気センサ１０３が、上記電子機器の磁気センサの一例に相当する。また、この光センサ１０４が、上記電子機器の光センサの一例に相当する。
【００１７】
磁気センサ１０３は、本体側センサ部分１０３ａと蓋側センサ部分１０３ｂとを備えている。本体側センサ部分１０３ａおよび蓋側センサ部分１０３ｂの一方が磁気を発していてその磁気をもう一方が検知する。そして、本体側センサ部分１０３ａと蓋側センサ部分１０３ｂが互いに近づいて磁気が検知されることで、蓋部分１０２が本体部分１０１に対して閉状態になっていることが検知される。逆に、本体側センサ部分１０３ａと蓋側センサ部分１０３ｂが互いに遠ざかって磁気検知が途切れることで、蓋部分１０２が本体部分１０１に対して開状態になっていることが検知される。光センサ１０４は、蓋部分１０２が本体部分１０１に対向した位置に設けられているので、蓋部分１０２が本体部分１０１に対して閉じているときには蓋部分１０２と本体部分１０１との間に挟まれて光を検知しない。そして、光センサ１０４は、蓋部分１０２が本体部分１０１に対して開くと光を検知することになる。なお、光センサ１０４は、後で詳述するように、この第１実施形態では磁気センサ１０３に対する補助として用いられている。以下の説明では、説明の便宜上、蓋部分１０２が本体部分１０１に対して開状態（閉状態）にあることを単にノートＰＣ１００が開状態（閉状態）にあると称する場合がある。
【００１８】
図２は、光センサ１０４の周辺についてより詳しく示した図である。
【００１９】
図２のパート（Ａ）には、開状態のノートＰＣ１００の斜視図が示されている。また、図２のパート（Ｂ）には、開状態のノートＰＣ１００の側方図が示されている。更に、図２のパート（Ｃ）には、閉状態のノートＰＣ１００の側方図が示されている。なお、パート（Ｂ）およびパート（Ｃ）の側方図には、内部構造の一部が透視されて示されている。
【００２０】
ノートＰＣ１００の蓋部分１０２には、光センサ１０４が覗く光検出窓１０５が設けられている。この光検出窓１０５を通った光が光センサ１０４によって検知される。ノートＰＣ１００はヒンジ１０６周りの回転によって開閉する。そして、パート（Ｂ）に示すように、ノートＰＣ１００が開状態にある場合には光センサ１０４は光検出窓１０５のすぐ後ろに位置している。このため、光センサ１０４はノートＰＣ１００以外から発せられた外光を検知することができるとともに、蓋部分１０２に備えられている液晶ディスプレイ１０２ａから発せられるバックライトの光も検知することができる。このように、液晶ディスプレイ１０２ａ自らが発する光を光センサ１０４が検知することにより、光センサ１０４は、暗い場所でノートＰＣ１００が開状態になった場合であっても開状態を検知することができる。このことは、次のような応用形態が好適であることを意味している。この好適な応用形態は、第２の装置部分に搭載された、自発光型の表示装置を備えている。また、この応用形態において光センサは、上記表示装置が発した光を検知するものである。
【００２１】
液晶ディスプレイ１０２ａは、この応用形態における自発光型の表示装置の一例に相当する。また、光センサ１０４は、この応用形態における光センサの一例にも相当する。
【００２２】
ノートＰＣ１００が閉状態にある場合には、パート（Ｃ）に示すように光センサ１０４は光検出窓１０５から離れて蓋部分１０２の奥に位置する。このため光センサ１０４は、ノートＰＣ１００が閉状態にある場合には、外光を含めて、光を検知しにくい配置となっている。従って、ノートＰＣ１００が閉状態にあるときに液晶ディスプレイ１０２ａが発光しても、光センサ１０４にはその液晶ディスプレイ１０２ａの光は入射しない。
【００２３】
光センサ１０４の位置を移動させる移動機構についてさらに詳しく説明する。
【００２４】
図３は、光センサ１０４の移動機構を示す図である。この図３には、ノートＰＣが開いたときの状態が示されている。
【００２５】
図３には、上述した光センサ１０４と光検出窓１０５とヒンジ１０６が示されている。ノートＰＣ１００の蓋部分１０２（図１参照）が本体部分１０１（図１参照）に対して開くと、ヒンジ１０６は、蓋部分１０２に備えられている光センサ１０４や光検出窓１０５に対して相対的に、図３に示す矢印Ａの方向に回転することとなる。ヒンジ１０６と光センサ１０４はワイヤ１０７で繋がっている。また、光センサ１０４は押しバネ１０８によって蓋部分１０２の奥側から光検出窓１０５の方へと付勢されている。ノートＰＣ１００が開いてヒンジ１０６が矢印Ａの方向に回転すると、ヒンジ１０６に繋がっているワイヤ１０７は図３に示す矢印Ｂの方向に繰り出される。その結果光センサ１０４は押しバネ１０８によって図３に示す矢印Ｃの方向に押し出されて光検出窓１０５のすぐ後ろに位置することとなる。このような位置に光センサ１０４が来ることで、上述したように、ノートＰＣ１００が開状態の場合には光センサ１０４は液晶ディスプレイ１０２ａからの光も検知することができる。
【００２６】
図４も、光センサ１０４の移動機構を示す図であるが、この図４には、ノートＰＣが閉じたときの状態が示されている。
【００２７】
ノートＰＣ１００の蓋部分１０２（図１参照）が本体部分１０１（図１参照）に対して閉じると、ヒンジ１０６は、蓋部分１０２に備えられている光センサ１０４や光検出窓１０５に対して相対的に、図４に示す矢印Ｄの方向に回転することとなる。そのようなヒンジ１０６の回転の結果、ヒンジ１０６に繋がっているワイヤ１０７は図４に示す矢印Ｅの方向に引き込まれる。そして、光センサ１０４は、押しバネ１０８の付勢力に逆らって、図４に示す矢印Ｆの方向に引き込まれることで光検出窓１０５から離される。このように光センサ１０４が引き込まれることで、上述したように、光センサ１０４にはノートＰＣ１００が閉状態の場合には光が入射しない。
【００２８】
以上説明した移動機構によれば、光センサ１０４は、ノートＰＣ１００の開閉状態をより正確に検出することができる。このことは、以下のような応用形態が好適であることを意味する。この応用形態は、上記第２の装置部分の開閉に伴い上記光センサを、開状態では第１の位置に移動させ、閉状態では、第１の位置に光センサが存在する場合よりも光センサへ光が入射しにくい第２の位置に移動させる移動機構を備えている。図３および図４に示す移動機構は、この好適な応用形態における移動機構の一例に相当する。
【００２９】
ところで、ノートＰＣ１００内には、ノートＰＣ１００の開閉に応じて電源をオンオフする電源制御回路が設けられている。この電源制御回路では、光センサ１０４による検出は、磁気センサ１０３による検出の補助として用いられている。
【００３０】
図５は、電源制御回路を示す図である。
【００３１】
電源制御回路１０９は、パワーオン制御回路１１０と誤動作防止回路１１１とを備えている。パワーオン制御回路１１０は、磁気センサ１０３による開状態の検知に応じてノートＰＣ１００のメイン系の電源をオン状態にする回路である。また、誤動作防止回路１１１は、磁気センサ１０３の誤検知による電源オンを修正するための回路である。この電源制御回路１０９が、上記電子機器における処理実行回路の一例に相当する。
【００３２】
なお、ノートＰＣ１００には、メイン系の電源がオフ状態のときにパワーオン制御回路１１０などを待機状態に保つための補助系の電源も存在するが、本件開示の主題ではないのでこれ以上の説明は省略する。
【００３３】
パワーオン制御回路１１０には、磁気センサ入力端子１１０ａと誤動作防止信号入力端子１１０ｂが備えられている。磁気センサ入力端子１１０ａには、磁気センサ１０３の出力が接続されている。パワーオン制御回路１１０は、磁気センサ入力端子１１０ａに立ち上がり信号が入力されるとメイン系の電源をオン状態にする。誤動作防止信号入力端子１１０ｂには、誤動作防止回路１１１の誤動作防止信号出力端子１１１ｃが接続されている。パワーオン制御回路１１０は、誤動作防止信号入力端子１１０ｂに立ち下がり信号が入力されるとメイン系の電源をオフ状態にする。
【００３４】
なお、磁気センサ入力端子１１０ａに対する立ち下がり信号の入力、および誤動作防止信号入力端子１１０ｂに対する立ち上がり信号の入力については、パワーオン制御回路１１０は特に反応しない。パワーオン制御回路１１０は、電源出力端子１１０ｃからメイン系の電源をノートＰＣ１００内の各所へと出力する。
【００３５】
誤動作防止回路１１１には、電源入力端子１１１ａと光センサ入力端子１１１ｂが備えられている。電源入力端子１１１ａには、パワーオン制御回路１１０の電源出力端子１１０ｃが接続されている。光センサ入力端子１１１ｂには、光センサ１０４の出力が接続されている。誤動作防止回路１１１は、ＡＮＤマスク回路１１２とタイマ付きラッチ回路１１３とを内蔵している。そして、ＡＮＤマスク回路１１２は、電源入力端子１１１ａに入力された電源出力のオンオフと、光センサ入力端子１１１ｂに入力された光センサ出力のオンオフとのＡＮＤ演算を実行する。タイマ付きラッチ回路１１３は、電源入力端子１１１ａに入力された電源出力の立ち上がりで５秒のタイマがスタートし、５秒間が経過するとＡＮＤマスク回路１１２の出力をラッチする。タイマ付きラッチ回路１１３の出力が誤動作防止信号出力端子１１１ｃから出力される。この誤動作防止信号出力端子１１１ｃの出力が、上述したようにパワーオン制御回路１１０の誤動作防止信号入力端子１１０ｂに入力される。
【００３６】
後で詳述するように、このような電源制御回路１０９によれば、ノートＰＣ１００の開閉状態に正しく応じた処理を実行してノートＰＣ１００の電源を制御することができる。また、この電源制御回路１０９は、次のような応用形態の処理実行回路の一例にも相当している。この応用形態では、処理実行回路は、電源回路と誤動作防止回路とを備えている。電源回路は、電子機器に電力を供給する電源回路であって、上記磁気センサが上記第２の装置部分の開状態を検知するとオン状態となる。誤動作防止回路は、電源回路がオン状態になると所定時間待機し、その待機後でも上記光センサが上記第２の装置部分の開状態を検知しない場合に電源回路をオフ状態に戻す。このような応用形態によれば、光センサによる検知で磁気センサによる検知を適切に補って電子機器の電源を正確に制御することができる。
【００３７】
この第１実施形態におけるパワーオン制御回路１１０が、この応用形態における電源回路の一例に相当する。また、第１実施形態における誤動作防止回路１１１が、この応用形態における誤動作防止回路の一例に相当する。
【００３８】
以下、電源制御回路１０９の動作について詳述する。
【００３９】
図６は、ノートＰＣ１００の蓋部分１０２が開かれたときのフローチャートである。また、図７は、ノートＰＣ１００の蓋部分１０２が開かれたときの各種信号のタイミングチャートである。ここでは、これら図６および図７を併せて説明する。
【００４０】
液晶ディスプレイ（ＬＣＤ）１０２ａが搭載されている蓋部分１０２が開かれると、図１に示す本体側センサ部分１０３ａと蓋側センサ部分１０３ｂが互いに遠ざかる。これにより、磁気センサ１０３は本体部分１０１に対する蓋部分１０２の開状態を検知する。そして、磁気センサ出力信号２０１（図７参照）には立ち上がりが時刻ｔ１で生じる。
【００４１】
ノートＰＣ１００がサスペンド状態や休止状態であった場合には、このような磁気センサ出力信号２０１の立ち上がりを受けてパワーオン制御回路１１０がメイン系電源をオン状態とする（図６のステップＳ１０１）。この結果、装置電源出力信号２０２（図７参照）にも立ち上がりが時刻ｔ１で生じる。このように電源が立ち上がることで図５に示す誤動作防止回路１１１のタイマ付きラッチ回路１１３にも電源が供給されることになる。そして、タイマ付きラッチ回路１１３の出力（即ち誤動作防止信号２０６；図７参照）が時刻ｔ１でオン（Ｈｉ）となる。また、その時刻ｔ１からタイマ付きラッチ回路１１３は５秒間の待機を開始する。
【００４２】
ステップＳ１０１で蓋部分１０２が開かれたことにより、図３に示すようにヒンジ１０６が回転する（図６のステップＳ１０２）。そして、図３を参照して説明したように、このヒンジ１０６の回転に伴って光センサ１０４が光検出窓１０５側に移動する（図６のステップＳ１０３）。その移動の結果として光検出窓１０５からの光を光センサ１０４が受ける。そして光センサ出力信号２０３（図７参照）が時刻ｔ２で立ち上がる（図６のステップＳ１０４）。なお、周囲が暗い場所で蓋部分１０２が開かれた場合であっても、光センサ１０４は液晶ディスプレイ１０２ａ自体が発する光を受光するので、光センサ出力信号２０３は時刻ｔ２で立ち上がる。このように光センサ出力信号２０３が立ち上がると、図５に示す誤動作防止回路１１１のＡＮＤマスク回路１１２の入力がオンとオンになるので、マスク回路出力信号２０４（図７参照）も時刻ｔ２で立ち上がる。
【００４３】
その後、図５に示す誤動作防止回路１１１のタイマ付きラッチ回路１１３における５秒間の待機時間が経過するとタイマ付きラッチ回路１１３はＡＮＤマスク回路１１２の出力をラッチする（図６のステップＳ１０５）。このラッチのタイミングは、入力ラッチ信号２０５（図７参照）が立ち上がる時刻ｔ３である。
【００４４】
この時刻ｔ３ではマスク回路出力信号２０４はオン（Ｈｉ）となっているので、タイマ付きラッチ回路１１３の出力である誤動作防止信号２０６（図７参照）は時刻ｔ３以後もオン（Ｈｉ）のままとなる。このため、この誤動作防止信号２０６が誤動作防止信号入力端子１１０ｂに入力されているパワーオン制御回路１１０の出力（即ち装置電源出力信号２０２）もオン状態に維持される（図６のステップＳ１０６）。
【００４５】
このように、第１実施形態では、蓋部分１０２が開かれたことに正確に応じて電源が立ち上がる。次に、磁気センサ１０３が外部磁気の影響で誤動作した場合について説明するが、第１実施形態での動作を説明する前に比較例における誤動作ついて説明する。この比較例では、電源制御回路が、図５に示すパワーオン制御回路１１０のみで構成されている。そして、磁気センサ１０３による検知結果のみに応じて電源が立ち上がる。
【００４６】
図８は、磁気センサの第１の誤動作に対する比較例の動作を示すタイミングチャートである。
【００４７】
比較例では、磁気センサ出力信号３０１が外部磁気の影響による誤動作でオン（Ｈｉ）状態に立ち上がると装置電源出力信号３０２も立ち上がる。そして、誤動作を修正する機能がないため電源は立ち上がったままとなってしまう。
【００４８】
ここに示す例では、誤動作によるオン状態が短時間のパルス的なオン状態であるため、パワーオン制御回路１１０にタイマ機能を組み込んで、ある程度の待機時間を経て再度磁気センサの出力を確認することとすれば誤動作が修正可能に見える。しかし、外部磁気の影響による磁気センサの誤動作は、必ずしもパルス的なオン状態とはならず、以下に示すような連続的なオン状態となる場合もある。
【００４９】
図９は、磁気センサの第２の誤動作に対する比較例の動作を示すタイミングチャートである。
【００５０】
ここに示す例では、磁気センサ出力信号３０３が外部磁気の影響による誤動作でオン（Ｈｉ）状態に立ち上がり、その後もオン状態が維持される。比較例では、この場合も装置電源出力信号３０４が立ち上がる。そして、誤動作を修正する機能がないため電源は立ち上がったままとなってしまう。
【００５１】
このように、比較例では磁気センサの誤動作による電源の立ち上がりを修正することができない。これに対し、第１実施形態のノートＰＣ１００では、以下説明するように、磁気センサが誤動作した場合にも正確に対処することができる。
【００５２】
図１０は、磁気センサの第１の誤動作に対する第１実施形態の動作を示すタイミングチャートである。
【００５３】
ここでは、磁気センサ出力信号２１１が時刻ｔ４で、外部磁気の影響による誤動作でオン（Ｈｉ）状態に立ち上がっている。そして、そのような立ち上がりを受けてパワーオン制御回路１１０がメイン系電源をオン状態とする。その結果、装置電源出力信号２１２にも立ち上がりが時刻ｔ４で生じる。このように電源が立ち上がることで、上述したように図５に示す誤動作防止回路１１１のタイマ付きラッチ回路１１３にも電源が供給されることになる。そして、タイマ付きラッチ回路１１３の出力（即ち誤動作防止信号２１６）が時刻ｔ４でオン（Ｈｉ）となる。また、その時刻ｔ４からタイマ付きラッチ回路１１３は５秒間の待機を開始する。
【００５４】
一方、蓋部分１０２は開かれていないので、光センサ１０４には光が入射しない。そのため光センサ出力信号２１３はオフ（Ｌｏ）状態のままとなっている。つまり、図５に示す誤動作防止回路１１１のＡＮＤマスク回路１１２の入力は一方がオフのままとなる。そのため、マスク回路出力信号２１４もオフ（Ｌｏ）状態のままとなる。
【００５５】
その後、図５に示す誤動作防止回路１１１のタイマ付きラッチ回路１１３における５秒間の待機時間が経過した時刻ｔ５で入力ラッチ信号２１５が立ち上がる。そして、その立ち上がりの時刻ｔ５でタイマ付きラッチ回路１１３がＡＮＤマスク回路１１２の出力をラッチする。この時刻ｔ５でマスク回路出力信号２１４はオフ（Ｌｏ）状態のままであるため、タイマ付きラッチ回路１１３の出力である誤動作防止信号２１６は時刻ｔ５で立ち下がることになる。そして、この誤動作防止信号２１６が誤動作防止信号入力端子１１０ｂに入力されているパワーオン制御回路１１０の出力（即ち装置電源出力信号２１２）は時刻ｔ５でオフ（Ｌｏ）状態となる。つまり、磁気センサの誤動作による電源の立ち上がりが修正されることになる。
【００５６】
このような修正は、図９で説明した連続的なオン状態となる誤動作の場合にも生じる。
【００５７】
図１１は、磁気センサの第２の誤動作に対する第１実施形態の動作を示すタイミングチャートである。
【００５８】
第２の誤動作では、磁気センサ出力信号２２１が時刻ｔ６でオン（Ｈｉ）状態に立ち上がり、その後もオン状態が維持される。
【００５９】
磁気センサ出力信号２２１の立ち上がりを受けてパワーオン制御回路１１０がメイン系電源をオン状態とする。その結果、装置電源出力信号２２２にも立ち上がりが時刻ｔ６で生じる。このように電源が立ち上がることでタイマ付きラッチ回路１１３にも電源が供給され、そして、タイマ付きラッチ回路１１３の出力（即ち誤動作防止信号２２６）が時刻ｔ６でオン（Ｈｉ）となる。また、その時刻ｔ６からタイマ付きラッチ回路１１３は５秒間の待機を開始する。
【００６０】
一方、第２の誤動作時も蓋部分１０２は開かれていないので、光センサ１０４には光が入射しない。そのため、図５に示す誤動作防止回路１１１のＡＮＤマスク回路１１２における入力の一方である光センサ出力信号２２３はオフ（Ｌｏ）状態のままとなる。従って、マスク回路出力信号２２４もオフ（Ｌｏ）状態のままとなる。
【００６１】
その後、図５に示す誤動作防止回路１１１のタイマ付きラッチ回路１１３における５秒間の待機時間が経過した時刻ｔ７で入力ラッチ信号２２５が立ち上がる。そして、その立ち上がりの時刻ｔ７でタイマ付きラッチ回路１１３がＡＮＤマスク回路１１２の出力をラッチする。第２の誤動作時もこの時刻ｔ７でマスク回路出力信号２２４はオフ（Ｌｏ）状態のままであるため、タイマ付きラッチ回路１１３の出力である誤動作防止信号２２６は時刻ｔ７で立ち下がることになる。そして、この誤動作防止信号２２６が誤動作防止信号入力端子１１０ｂに入力されているパワーオン制御回路１１０の出力（即ち装置電源出力信号２２２）は時刻ｔ７でオフ（Ｌｏ）状態となる。つまり、第２の誤動作時も、磁気センサの誤動作による電源の立ち上がりが修正されることになる。
【００６２】
次に、ノートＰＣ１００の蓋部分１０２が閉じられたときの動作について説明する。
【００６３】
図１２は、ノートＰＣ１００の蓋部分１０２が閉じられたときのフローチャートである。また、図１３は、ノートＰＣ１００の蓋部分１０２が閉じられたときの各種信号のタイミングチャートである。ここでは、これら図１２および図１３を併せて説明する。
【００６４】
液晶ディスプレイ（ＬＣＤ）１０２ａが搭載されている蓋部分１０２が閉じられると、図１に示す本体側センサ部分１０３ａと蓋側センサ部分１０３ｂが互いに近づく。これにより、磁気センサ１０３は本体部分１０１に対する蓋部分１０２の閉状態を検知する。そして、磁気センサ出力信号２３１（図１３参照）には立ち下がりが時刻ｔ８で生じる（図１２のステップＳ２０１）。但し、上述したように、このような磁気センサ出力信号２３１の立ち下がりには、パワーオン制御回路１１０は特に反応しない。
【００６５】
一方、ステップＳ２０１で蓋部分１０２が閉じ始めると、図４に示すようにヒンジ１０６が回転する（図１２のステップＳ２０２）。そして、図４を参照して説明したように、このヒンジ１０６の回転に伴って光センサ１０４が光検出窓１０５から引き離されるように移動する（図１２のステップＳ２０３）。その移動の結果として光検出窓１０５からの光を光センサ１０４は受けられなくなるので、光センサ出力信号２３３（図１３参照）は時刻ｔ８までには立ち下がる（図１２のステップＳ２０４）。
【００６６】
このように光センサ出力信号２２３が立ち下がると、図５に示す誤動作防止回路１１１のＡＮＤマスク回路１１２の入力の一方がオフになるので、マスク回路出力信号２３４（図１３参照）も時刻ｔ８で立ち下がる。
【００６７】
図５に示す誤動作防止回路１１１のタイマ付きラッチ回路１１３はタイマ動作をしないので入力ラッチ信号２３５（図１３参照）には特に立ち上がりは生じないが、タイマ付きラッチ回路１１３はマスク回路出力信号２３４をクロック周期で常にラッチしている。そして、マスク回路出力信号２３４（図１３参照）における時刻ｔ８での立ち下がりもタイマ付きラッチ回路１１３は直ちにラッチする。その結果、タイマ付きラッチ回路１１３の出力である誤動作防止信号２３６（図１３参照）も時刻ｔ８で立ち下がる（ステップＳ２０５）。
【００６８】
そして、この誤動作防止信号２３６が誤動作防止信号入力端子１１０ｂに入力されているパワーオン制御回路１１０は、誤動作防止信号２３６の立ち下がりを受けてメイン電源（即ち装置電源出力信号２３２；図１３参照）をオフ状態にする。その結果、設定状態に応じてノートＰＣ１００は、サスペンド状態や休止状態へと移行する（図１２のステップＳ２０６）。
【００６９】
このように、第１実施形態では、蓋部分１０２が閉じられたことにも正確に応じて電源がオフ状態となる。
【００７０】
以上で第１実施形態の説明を終了し、以下、第２実施形態について説明する。この第２実施形態は、光検知窓に対して光センサを移動させる移動機構を除いて、第１実施形態と同様の実施形態であるので、以下では移動機構に着目した説明を行う。
【００７１】
図１４は、第２実施形態を示す図である。
【００７２】
図１４のパート（Ａ）には、第２実施形態のノートＰＣ４００の開状態が示されていろ。また、図１４のパート（Ｂ）には、ノートＰＣ４００の閉状態が示されている。
【００７３】
この第２実施形態のノートＰＣ４００では、ノートＰＣ４００が開状態にある場合には光センサ４０１は光検出窓１０５のすぐ後ろに位置している。このため、光センサ４０１はノートＰＣ４００以外から発せられた外光を検知することができるとともに、液晶ディスプレイから発せられるバックライトの光も検知することができる。
【００７４】
そして、ノートＰＣ４００が閉状態になると、パート（Ｂ）に示すように光センサ４０１は光検出窓１０５から図の横方向へと移動する。このため光センサ４０１は、ノートＰＣ４００が閉状態にある場合には、外光を含めて、光を検知しにくい配置となっている。
【００７５】
光センサ４０１の位置を移動させる移動機構についてさらに詳しく説明する。
【００７６】
図１５は、第２実施形態における光センサ４０１の移動機構を示す図である。この図１５には、ノートＰＣが開いたときの状態が示されている。
【００７７】
図１５には、光センサ４０１と光検出窓１０５とヒンジ１０６が示されている。ノートＰＣ４００が閉状態から開かれると、ヒンジ１０６は、光センサ４０１や光検出窓１０５に対して相対的に、図１５に示す矢印Ｇの方向に回転することとなる。
【００７８】
ヒンジ１０６と光センサ４０１はワイヤ４０２で繋がっている。また、光センサ４０１は押しバネ４０３によって光検出窓１０５の方へと付勢されている。ノートＰＣ４００が開いてヒンジ１０６が矢印Ｇの方向に回転すると、ヒンジ１０６に繋がっているワイヤ４０２は図１５に示す矢印Ｈの方向に繰り出される。その結果光センサ４０１は押しバネ４０３によって図１５に示す矢印Ｉの方向に押し出されて光検出窓１０５のすぐ後ろに位置することとなる。
【００７９】
図１６も、光センサ４０１の移動機構を示す図であるが、この図１６には、ノートＰＣが閉じたときの状態が示されている。ノートＰＣ４００が開状態から閉じられると、ヒンジ１０６は、光センサ４０１や光検出窓１０５に対して相対的に、図１５に示す矢印Ｊの方向に回転することとなる。そのようなヒンジ１０６の回転の結果、ヒンジ１０６に繋がっているワイヤ４０２は図１６に示す矢印Ｋの方向に引き込まれる。そして、光センサ４０１は、押しバネ４０３の付勢力に逆らって、図１６に示す矢印Ｌの方向に引き込まれることで、光検出窓１０５に対して横方向にずらされる。このように光センサ４０１が光検出窓１０５に対してずらされることで、光センサ４０１にはノートＰＣ４００が閉状態の場合には光が入射しない。
【００８０】
このように、第２実施形態の移動機構でも光センサ４０１を所望の位置に移動させることができる。
【００８１】
以上で第２実施形態の説明を終了し、以下、第３実施形態について説明する。この第３実施形態は、光センサの位置が異なることと光センサの移動機構が省かれていることとを除いて、第１実施形態と同様の実施形態であるので、以下では光センサに着目した説明を行う。
【００８２】
図１７は、第３実施形態を示す図である。
【００８３】
図１７のパート（Ａ）には、開状態のノートＰＣ５００の斜視図が示されている。また、図１７のパート（Ｂ）には、開状態のノートＰＣ５００の側方図が示されている。更に、図１７のパート（Ｃ）には、閉状態のノートＰＣ５００の側方図が示されている。
【００８４】
この第３実施形態のノートＰＣ５００では、光センサ５０１は蓋部分１０２の上方に配備されている。このため、光センサ５０１はノートＰＣ５００以外から発せられた外光を検知しやすい。また、このような位置に配備されていても光センサ５０１は、蓋部分１０２に備えられている液晶ディスプレイ１０２ａ自らが発する光を検知することが出来る。
【００８５】
第１実施形態や第２実施形態とは異なり、この第３実施形態は光センサ５０１の移動機構を有していない。このため、パート（Ｃ）に示すように、閉状態になっても光センサ５０１は蓋部分１０２の前側（即ち液晶ディスプレイ１０２ａが配備されている側）に位置している。
【００８６】
第３実施形態のノートＰＣ５００では、移動機構を有していない分だけ構造がシンプルであるため耐久性などは第１実施形態や第２実施形態よりも高い。
【００８７】
また、第３実施形態は、移動機構を有していないことで、閉状態における光センサ５０１の遮光性は第１実施形態や第２実施形態に較べると低いが、開閉検知に関する基本的な利点はこの構造でも同様に発揮される。
【００８８】
以上で各実施形態の説明を終了する。
【００８９】
なお、上述した各実施形態では、磁気センサによる開閉検知を主とし、光センサによる開閉検知を補助として利用しているが、本件開示の電子機器は、光センサによる開閉検知を主とし、磁気センサによる開閉検知を補助として利用するものであってもよい。
【００９０】
また、上述した各実施形態では、バックライト型の液晶ディスプレイが採用されているが、自発光型のディスプレイとしては有機ＥＬディスプレイなどが採用されてもよい。また、本件開示の電子機器は、反射型液晶ディスプレイを備えたものであってもよいし、あるいは表示装置を備えていないものであってもよい。
【符号の説明】
【００９１】
１００    ノートＰＣ
１０１    本体部分
１０２    蓋部分
１０３    磁気センサ
１０３ａ    本体側センサ部分
１０３ｂ    蓋側センサ部分
１０４    光センサ
１０２ａ    液晶ディスプレイ
１０５    光検出窓
１０６    ヒンジ
１０７    ワイヤ
１０８    押しバネ
１０９    電源制御回路
１１０    パワーオン制御回路
１１１    誤動作防止回路
１１２    ＡＮＤマスク回路
１１３    タイマ付きラッチ回路
【図１】
2012042663.tif 000003
【図２】
2012042663.tif 000004
【図３】
2012042663.tif 000005
【図４】
2012042663.tif 000006
【図５】
2012042663.tif 000007
【図６】
2012042663.tif 000008
【図７】
2012042663.tif 000009
【図８】
2012042663.tif 000010
【図９】
2012042663.tif 000011
【図１０】
2012042663.tif 000012
【図１１】
2012042663.tif 000013
【図１２】
2012042663.tif 000014
【図１３】
2012042663.tif 000015
【図１４】
2012042663.tif 000016
【図１５】
2012042663.tif 000017
【図１６】
2012042663.tif 000018
【図１７】
2012042663.tif 000019
【国際調査報告】
2012042663.tif 000020
2012042663.tif 000021